(57)【特許請求の範囲】
【請求項１】
あらかじめ形成されたパネルからなる前壁と、該前壁の後側に場所打ちコンクリートを打設すると共に後壁補強棒を埋設することにより形成された後壁とが、その下部から上部に渡って一体化されてなり、前壁と後壁との合成断面により外力に抵抗するよう、前壁と後壁とは、前壁の後面から突出する複数のずれ止めにより一体化されたことを特徴とするコンクリート壁。
【請求項２】
前記前壁が基礎上に載置され、該基礎上に後壁の場所打ちコンクリートを打設することにより、場所打ちコンクリートを介して前壁と基礎とが結合されたことを特徴とする請求項１記載のコンクリート壁。
【請求項３】
前壁の下面から突出する前壁側突起と、基礎の上面から突出する基礎側突起とが形成され、前壁側突起及び基礎側突起が場所打ちコンクリートを介して連結されたことを特徴とする請求項２記載のコンクリート壁。
【請求項４】
前記前壁側突起は、後壁に侵入するフック状とされたことを特徴とする請求項３記載のコンクリート壁。
【請求項５】
前記パネルは、コンクリートに前壁補強棒を埋設してなり、前壁補強棒の端部がパネルの下面から突出されて前壁側突起とされたことを特徴とする請求項３又は４記載のコンクリート壁。
【請求項６】
前記前壁は、複数のパネルを上下に積み重ねてなることを特徴とする請求項１〜５のいずれかに記載のコンクリート壁。
【請求項７】
前記前壁の後側に後壁の場所打ちコンクリートを打設することにより、場所打ちコンクリートを介して、上下に隣接するパネル同士が結合されたことを特徴とする請求項６記載のコンクリート壁。
【請求項８】
上下に隣接するパネルの上側パネルの下面から突出する下向突起と、下側パネルの上面から突出する上向突起とが形成され、上向突起及び下向突起が場所打ちコンクリートを介して連結されたことを特徴とする請求項７記載のコンクリート壁。
【請求項９】
前記上向突起及び下向突起の少なくとも一方が、後壁に侵入するフック状とされたことを特徴とする請求項８記載のコンクリート壁。
【請求項１０】
前記上側パネルは、コンクリートに前壁補強棒が埋設されてなり、前壁補強棒の端部が上側パネルの下面から突出されて下向突起とされたことを特徴とする請求項８又は９記載のコンクリート壁。
【請求項１１】
前記下側パネルは、コンクリートに前壁補強棒が埋設されてなり、前壁補強棒の端部が下側パネルの上面から突出されて上向突起とされたことを特徴とする請求項８又は９記載のコンクリート壁。
【請求項１２】
前記後壁の後側に配置される土砂などを留めるための擁壁として設置することを特徴とする請求項１〜１１のいずれかに記載のコンクリート壁。
【請求項１３】
あらかじめ形成されたパネルからなる前壁の後側に場所打ちコンクリートを打設して、後壁を形成すると共に前壁及び後壁をその下部から上部に渡って一体化するコンクリート壁の構築方法において、前壁の後側に後壁を補強する後壁補強棒を組み立てて、該後壁補強棒の一部としてせん断補強棒を配置し、該せん断補強棒に前壁を固定して前記せん断補強棒を前壁の倒れ留めとすると共に、前壁又は後壁補強棒に型枠支持材を固定し、次いで、後壁補強棒の後側に板状の型枠を立設し、該型枠の挿通孔に型枠支持材の先端を挿通して、型枠支持材に型枠を後側から固定し、その後、前壁と型枠との間に場所打ちコンクリートを打設し、該場所打ちコンクリートが硬化した後、後側から型枠を取り外すことを特徴とするコンクリート壁の構築方法。
【発明の詳細な説明】
【０００１】
【発明の属する技術分野】
本発明は、例えば土砂などを留めるための擁壁として設置されるコンクリート壁に関するものである。
【０００２】
【従来の技術】
一般に、土砂などを留めるための擁壁として設置されるコンクリート壁は、現場で鉄筋を組み立てて、その前後に壁厚に等しい間隔をあけて仮設した型枠の間に場所打ちコンクリートを打設することにより形成される。このコンクリート壁は、その壁厚を土圧などの外力に抵抗可能な厚さに設定することにより、擁壁高さが比較的に高いものにも採用可能であるが、鉄筋の組立や型枠の設置に時間がかかり、現場での施工時間が長くなりやすい。
【０００３】
これに対して、例えば特許文献１に、コンクリート製ブロックをあらかじめ形成しておき、このブロックを積み上げて擁壁を構成することにより、擁壁の現場施工を簡単にすることができる技術を開示している。図９は特許文献１の擁壁のブロックの斜視図、図１０は図９のブロックを積み上げたときの後面図である。
【０００４】
この擁壁は、ブロック１０１を上下左右に積層して、ブロック１０１間の隙間にコンクリートを充填することにより形成される。ブロック１０１には、両端が突出する突出棒１０２が埋設され、ブロック１０１を積み上げたとき、同軸を共有する突出棒１０２の端部同士を連結してブロック１０１同士を一体化し、擁壁としての所定の強度を確保するようにしている。
【０００５】
【特許文献１】
特開平５−１４８８５５号公報（段落番号００１３〜段落番号００１６、第２−Ａ図、第２−Ｂ図）
【０００６】
【発明が解決しようとする課題】
ところが、特許文献１のようなブロックを積み上げて形成するコンクリート壁は、その壁高が高いときや壁長が長いとき、積み上げるブロックの数が多くなって、施工に要する時間が長くなりやすい。
【０００７】
各ブロックを上下方向や左右方向に大きくすることにより、その数を少なくできるが、その分、ブロックが重くなりやすい。特に、壁高が高いとき、コンクリート壁に作用する土圧などの外力が大きくなるため、壁厚を厚くする必要があり、ブロックが前後方向に長くなってより重くなる。このような重いブロックを吊り上げるには大きなクレーンが必要であり、施工コストが高くなりやすい。
【０００８】
本発明は、壁長が長いときや壁高が高いときにも、施工コストを高くすることなく、その施工時間を短くすることができるコンクリート壁を提供することを目的とする。
【０００９】
【課題を解決するための手段】
上記課題に鑑み、本発明は、あらかじめ形成されたパネルからなる前壁と、この前壁の後側に場所打ちコンクリートを打設すると共に後壁補強棒を埋設することにより形成された後壁とが、その下部から上部に渡って一体化されてなり、前壁と後壁との合成断面により外力に抵抗するよう、前壁と後壁とが、前壁の後面から突出する複数のずれ止めにより一体化されたコンクリート壁を提供するものである。ここで、パネルは、工場や現場の製作ヤードにおいて形成され、一枚のパネルから、あるいは複数のパネルを積み重ねて前壁を構成するようになっている。
【００１０】
この構成によれば、前壁と後壁との合成断面で外力に抵抗するので、前壁だけで、あるいは前壁及び後壁がそれぞれ独自に外力に抵抗するもの（コンクリート壁の強度が前壁及び後壁の強度の和であるもの）よりも前壁の壁厚を薄くすることができる。これにより、あらかじめ形成しておくパネルを上下方向及び左右方向に大きくしても、その重量を軽くすることができる。
【００１１】
ここで、後壁は、場所打ちコンクリートで形成されるものであるが、前壁を型枠として利用できるので前側の型枠を省略することができる。また、前壁と後壁とで合成断面を構成するので、前側の補強棒の組立を省略することができる。
【００１２】
つまり、通常のコンクリート壁には、前面付近の圧縮力を受け持つ補強棒と、後面付近の引張力を受け持つ補強棒とが埋設されるが、前壁と後壁とが一体化してその合成断面により外力に抵抗するので、前壁に前面付近の圧縮力を受け持たせることができる。これにより、後壁だけで、あるいは前壁及び後壁がそれぞれ独自に外力に抵抗するもののように、後壁の前部及び後部の両方に補強棒（鉄筋など）を埋設しなくてもよい。
【００１３】
なお、後壁の壁厚を調節してコンクリート壁全体の壁厚を調節することにより、壁高などの条件によらず、前壁の厚さを一定にして、あらかじめ形成しておく前壁の共通化を図ることができる。前壁と後壁とは、部分的に接合してもよいが、全体を面接合して一体化すれば、前壁及び後壁間の型枠を不要にでき、より好適である。
【００１４】
このコンクリート壁は、強固な地盤上に直接設置してもよいが、地盤が弱いときには基礎上に設置すればよい。この場合、前壁を基礎上に載置して、この基礎上に後壁の場所打ちコンクリートを打設することにより、場所打ちコンクリートを介して前壁と基礎とを結合すれば、前壁と基礎との結合を簡単にすることができる。なお、前壁と基礎とは、場所打ちコンクリートを介して結合する代わりに、ねじや溶接などを用いて直接結合してもよい。
【００１５】
前壁と基礎とを結合するための具体的な構成として、前壁の下面から突出する前壁側突起と、基礎の上面から突出する基礎側突起とを形成し、これらの前壁側突起及び基礎側突起を後壁側の場所打ちコンクリートを介して連結する構造を例示できる。前壁の下面には、前壁側突起を突出可能なように、これを侵入させる切欠を形成しておけばよい。前壁側突起を後壁に侵入するフック状とすれば、前壁側突起により前壁及び後壁を一体化することができる。
【００１６】
前壁を構成するパネルは、コンクリートに前壁補強棒を埋設した構造とし、その前壁補強棒の端部をパネルの下面から突出させて前壁側突起とする。そうすれば、前壁側突起を簡単に形成することができ、前壁補強棒から基礎への力の伝達をスムーズにすることができる。
【００１７】
ここで、前壁補強棒としては、鉄筋や鋼棒、形鋼、線材などの鋼材、合成樹脂、ガラスなどどのようなものでもよい。また、前壁補強棒をあらかじめパネルに埋設しておく代わりに、前壁補強棒を挿通する筒を埋設しておき、前壁の設置後に筒内に前壁補強棒を配置するようにしてもよい。
【００１８】
前壁を複数のパネルを上下に積み重ねた構造とし、これをコンクリート壁の長さ方向に並設すれば、壁高が高いときであっても、各パネルは軽くすることができる。パネル同士は、ねじや溶接で直接結合してもよいが、前壁の後側に後壁の場所打ちコンクリートを打設して、この場所打ちコンクリートを介して、上下に隣接するパネル同士を結合するようにすれば、パネル同士の結合を簡単にすることができる。
【００１９】
パネル同士を結合するための具体的な構成として、上下に隣接するパネルの上側パネルの下面から突出する下向突起と、下側パネルの上面から突出する上向突起とを形成し、上向突起及び下向突起を場所打ちコンクリートを介して連結する構造を例示できる。
【００２０】
上側パネルの下面および下側パネルの上面には、下向突起および上向突起を突出可能なように、これを侵入させる切欠を形成しておけばよい。上向突起及び下向突起の少なくとも一方を後壁に侵入するフック状とすれば、上向突起や下向突起をずれ止めとして、前壁及び後壁を一体化することができる。
【００２１】
上側パネルの構造として、コンクリートに前壁補強棒を埋設して、この前壁補強棒の端部を上側パネルの下面から突出させて下向突起とする。そうすれば、下向突起を簡単に形成することができ、結合するパネルの前壁補強棒同士の力の伝達をスムーズにすることができる。また、下側パネルも上側パネルと同様に、コンクリートに前壁補強棒を埋設して、この前壁補強棒の端部を下側パネルの上面から突出させて上向突起とすればよい。
【００２２】
このコンクリート壁の好適な態様として、後壁の後側に配置される土砂などを留めるための擁壁として設置することを例示できる。
【００２３】
前壁と基礎との結合方法としては、前壁を構成するパネルの下端部に前壁側突起及び基礎側突起が侵入する第一空間を形成しておき、この第一空間に後壁の場所打ちコンクリートを流し込んで、前壁側突起及び基礎側突起を場所打ちコンクリートを介して連結するようにすればよい。
【００２４】
すなわち、上記のコンクリート壁を構築する方法として、基礎上に載置された前壁の後側に場所打ちコンクリートを打設して、後壁を形成すると共に前壁及び後壁を一体化することを前提として、前壁の下端部に第一空間を形成して、前壁の下面及び基礎の上面に、第一空間内に侵入する前壁側突起及び基礎側突起を突設しておき、基礎上に後壁の場所打ちコンクリートを打設することにより、硬化前の場所打ちコンクリートを第一空間に流し込み、硬化後の場所打ちコンクリートを介して前壁側突起及び基礎側突起を連結して、前壁と基礎とを結合するコンクリート壁の構築方法を採用することができる。
【００２５】
また、パネル同士の結合方法としては、上側パネルの下端部と下側パネルの上端部との少なくとも一方に、下向突起及び上向突起が侵入する第二空間を形成しておき、この第二空間に後壁の場所打ちコンクリートを流し込んで、下向突起及び上向突起を場所打ちコンクリートを介して連結するようにすればよい。
【００２６】
すなわち、上記のコンクリート壁を構築する方法として、複数のパネルを上下に積み重ねて前壁を構成し、この前壁の後側に場所打ちコンクリートを打設して、後壁を形成すると共に前壁及び後壁を一体化することを前提として、上下に隣接するパネルの上側パネルの下端部と下側パネルの上端部との少なくとも一方に第二空間を形成して、上側パネルの下面及び下側パネルの上面に、第二空間内に侵入する下向突起及び上向突起を突設しておき、後壁の場所打ちコンクリートを打設することにより、硬化前の場所打ちコンクリートを第二空間に流し込み、硬化後の場所打ちコンクリートを介して下向突起及び上向突起を連結して、上下に隣接するパネル同士を結合するコンクリート壁の構築方法を採用することができる。
【００２７】
次に、具体的なコンクリート壁の構築方法を説明する。まず、前壁の後側に場所打ちコンクリートを打設して、後壁を形成すると共に前壁及び後壁を一体化することを前提として、前壁の後側に後壁を補強する後壁補強棒を組み立てて、前壁又は後壁補強棒に型枠支持材を固定する。次いで、後壁補強棒の後側に板状の型枠を立設し、この型枠の挿通孔に型枠支持材の先端を挿通して、型枠支持材に型枠を後側から固定する。その後、前壁と型枠との間に場所打ちコンクリートを打設し、この場所打ちコンクリートが硬化した後、後側から型枠を取り外す。
【００２８】
この構成によれば、前壁又は後壁補強棒に固定した型枠支持材で型枠を支持するので、後側から型枠を支える支持部材を不要にすることができる。これにより、施工スペースを狭くすることができ、後側の土砂の掘削量を少なくすることができる。
【００２９】
ところで、後壁の場所打ちコンクリートが硬化するまで、前壁が倒れないように保持しておく必要があるが、せん断補強棒に前壁を固定することにより、倒れ留め専用の部材を設けることなく、前壁の倒れを防止することができる。すなわち、せん断補強棒に、後壁補強棒としての機能と、場所打ちコンクリートが硬化するまでの前壁の倒れ留めとしての機能とを兼用させることができる。
【００３０】
せん断補強棒は、コンクリート壁に作用するせん断力に抵抗するように、前後方向に、あるいは前方に向かって上向きに傾斜して配置され、後壁補強棒の一部を構成するものである。なお、前壁とせん断補強棒との固定は、例えば前壁の後面に鉄筋などを突設しておき、この突設された鉄筋などとせん断補強棒とを溶接や線材の巻き付けによって連結すればよい。
【００３１】
ここで、コンクリートに補強棒が埋設され、この補強棒の端部がコンクリートの端面から突出されてなるコンクリートパネルを製造するためのパネル型について説明する。
【００３２】
具体的には、硬化前のコンクリートを受ける型本体と、この型本体のコンクリート受け面を取り囲んでコンクリートの端面を形成するための側型とを備えて、その側型を複数の分割型から構成し、各分割型を型本体で開閉回動自在に支持して、コンクリートの硬化後にその端面から剥離可能とする。側型にコンクリートパネルの補強棒の端部を挿入する複数の切欠を補強棒のピッチに合わせて形成すれば、コンクリートの端面から突出する補強棒の端部が側型を閉じるときの邪魔になることを防止できる。
【００３３】
コンクリートが硬化するまで補強棒を支持するための補強棒受けを設けて、この補強棒受けを側型に着脱自在に装着すれば、コンクリートの硬化後に補強棒がコンクリートパネルの取り外しの邪魔になることを防止できる。
【００３４】
つまり、補強棒受けは、側型に取り付けるのが好適であるが、コンクリートの硬化後に側型を構成する分割型を回動させてコンクリートの端面から剥離させるとき、補強棒受けがパネル面と直交する方向にも移動する。分割型の回動軸がパネルの端面よりも外方にある場合には、補強棒が邪魔になって側型の回動を阻害する。これに対して、補強棒受けを着脱自在とすることにより、コンクリートの硬化後に、補強棒受けを取り外して側型を回動させることができる。
【００３５】
補強棒受けは、側型の切欠から離して装着してもよいが、側型の切欠のうちの補強棒よりもコンクリート受け面側を塞ぐように装着すれば、補強棒受けを切欠からのコンクリートの漏出を防止する手段としても兼用することができる。
【００３６】
【発明の実施の形態】
以下、本発明に係るコンクリート壁の実施の形態について、図面を用いて説明する。図１は本発明のコンクリート壁を前側から見た斜視図、図２はコンクリート壁を後側から見た斜視図である。
【００３７】
このコンクリート壁は、土砂１などを留めるための擁壁として基礎２上に構築されるものであり、前壁３と、場所打ちコンクリートを打設することにより前壁３の後側に形成された後壁４とからなる。前壁３と後壁４とは、前壁３の後面から突出する略コ字形の鉄筋からなる複数のずれ止め５により一体化され、前壁３と後壁４との合成断面により、後壁４の後側の土砂１による土圧などの外力に抵抗するようになっている。
【００３８】
前壁３は、基礎２上に、あらかじめ形成された複数のパネル６を上下に積み重ねて、これを左右に連設することにより形成される。各パネル６は、コンクリートに複数の前壁主鉄筋８（前壁補強棒）及び複数の前壁配力鉄筋９が埋設された構成とされる。前壁主鉄筋８は、上下方向に向けられて左右方向に所定のピッチで配置され、前壁配力鉄筋９は、左右方向に向けられて上下方向に所定のピッチで配置される。これらの前壁主鉄筋８及び前壁配力鉄筋９により、前壁３が補強される。
【００３９】
前壁主鉄筋８の下端部は、前壁３の下面から突出してその先端が後壁４に侵入する前壁側突起１０とされる。前壁側突起１０は、基礎２上に打設された後壁４の場所打ちコンクリートにより、基礎２の上面にフック状の鉄筋を突設してなる基礎側突起１１と連結され、基礎２上に載置された前壁３と基礎２とが結合されている。
【００４０】
図３に示すように、最下層のパネル６ａは、略長方形のコンクリート１２に複数の前壁主鉄筋８ａ（前壁補強棒）及び複数の前壁配力鉄筋９とを埋設してなる。パネル６ａの下端及び上端の後面側に、後壁４の場所打ちコンクリートが硬化前に流れ込む下端側切欠１３及び上端側切欠１４が形成されている。
【００４１】
前壁主鉄筋８ａは、上下方向に向けられて左右方向に所定のピッチで配置され、パネル６ａを補強すると共に前壁主鉄筋８の最下層を構成する。前壁主鉄筋８ａの下端は、パネル６ａの下面から下端側切欠１３内に突出され、その先端部が後方に折曲されてフック状の前壁側突起１０とされる。前壁主鉄筋８ａの上端は、パネル６ａの上面から上端側切欠１４を通って上方に突出され、その先端部が後方に折曲されてフック状の上向突起１５とされる。
【００４２】
前壁配力鉄筋９は、左右方向に向けられて上下方向に所定のピッチで配置され、パネル６ａを補強することにより前壁３を補強する。この前壁配力鉄筋９は、所定の間隔で配置された複数のずれ止め５の先端部を係止するようになっている。
【００４３】
最上層のパネル６ｂは、最下層のパネル６ａと同じものであるが、積み上げるときに上下を逆にして配置される。ここで、パネル６ａの前壁主鉄筋８ａ、前壁側突起１０、上向突起１５、下端側切欠１３及び上端側切欠１４は、それぞれパネル６ｂの前壁主鉄筋８ｂ、前壁上端突起１６、下向突起１７、上端側切欠１４及び下端側切欠１３となる。これにより、前壁上端突起１６は、上端側切欠１４内を通って後方に侵入し、前壁３の上端からの突出が阻止される。
【００４４】
図４に示すように、中間層のパネル６ｃは、最下層及び最上層のパネル６ａ、６ｂとほぼ同じ構成であるが、その前壁主鉄筋８ｃの下端及び上端が共に、下端側切欠１３又は上端側切欠１４を通って下方又は上方に突出されている。これにより、パネル６ｃの下端にフック状の下向突起１７が形成され、パネル６ｃの上端にフック状の上向突起１５が形成されている。
【００４５】
パネル６の上向突起１５及び下向突起１７は、下端側切欠１３又は上端側切欠１４内で、上下に隣接するパネル６の下向突起１７及び上向突起１５とラップされる。このラップ部分が、前壁３の後側の基礎２上に打設されて下端側切欠１３及び上端側切欠１４に流入した後壁４の場所打ちコンクリートを介して連結され、上下に隣接するパネル６同士が結合される。
【００４６】
上向突起１５及び下向突起１７が連結されることにより、前壁主鉄筋８ａ、８ｂ、８ｃが連続されて前壁主鉄筋８を構成し、前壁３及びコンクリート壁全体を補強する。前壁側突起１０、上向突起１５、前壁上端突起１６及び下向突起１７の先端は、後壁４に侵入し、前壁３と後壁４との一体化に寄与する。
【００４７】
後壁４には、上下方向に向けられた複数の後壁主鉄筋１８（後壁補強棒）が左右方向に所定のピッチで埋設され、左右方向に向けられた複数の後壁配力鉄筋１９（後壁補強棒）が上下方向に所定のピッチで埋設されている。この後壁主鉄筋１８及び後壁配力鉄筋１９が、外力によってコンクリート壁の後面付近に生じる引張力を受けるようになっている。
【００４８】
次に、このコンクリート壁を構築する手順について説明する。図５はコンクリート壁の構築方法を説明する図である。まず、図５（ａ）に示すように、地盤２０を掘削した後、場所打ちコンクリートにより基礎２（フーチング）を形成する。基礎２の所定の部位に基礎側突起１１を突設しておき、その後側に下部の後壁主鉄筋１８ａを突設しておく。溶接や線材の巻き付けにより、後壁主鉄筋１８ａに後壁配力鉄筋１９およびせん断補強筋１９ａを取り付けて、後壁４を補強する鉄筋の下部を組み立てる。
【００４９】
次いで、図５（ｂ）に示すように、基礎２の所定の位置に最下層のパネル６ａを載置して、下端側切欠１３からなる第一空間内で、基礎側突起１１と前壁側突起１０とをラップさせる。パネル６ａのずれ止め５とせん断補強筋１９ａとを溶接などで固定することにより、パネル６ａをせん断補強筋１９ａに固定して、パネル６ａの倒れを阻止する。
【００５０】
後壁主鉄筋１８ａに、金属棒からなる型枠支持材２１を溶接などで取り付けて、その後側に鋼鈑からなる型枠２２を立設する。あらかじめ型枠支持材２１の先端にねじを形成しておき、これを型枠２２の挿通孔２３に挿通して、型枠２２の後側からナット２４を締め付けることにより、型枠支持材２１に型枠２２を固定する。
【００５１】
パネル６ａと型枠２２との間に場所打ちコンクリートを打設し、これにより、下端側切欠１３（第一空間）に硬化前の場所打ちコンクリートを流し込む。場所打ちコンクリートの硬化により、後壁４の下部が形成されてパネル６ａと一体化されると共に、基礎側突起１１と前壁側突起１０とが連結されて、パネル６ａが基礎２に結合される。その後、図５（ｃ）に示すように、型枠２２を取り外して前側の土砂１ａを埋め戻し、後側の土砂１を所定の高さまで埋め戻す。
【００５２】
図５（ｄ）に示すように、後壁４の下部に上部の後壁主鉄筋１８ｂを立設し、その下端部を後壁４の下部から突出する後壁主鉄筋１８ａにラップさせて接続する。後壁主鉄筋１８ｂに後壁配力鉄筋１９およびせん断補強筋１９ａを取り付けて、後壁４を補強する鉄筋の上部を組み立てる。
【００５３】
パネル６ａにパネル６ｂ、６ｃを積み重ね、下端側切欠１３と上端側切欠１４とで形成される第二空間内で、上向突起１５と下向突起１７とをラップさせる。パネル６ｂ、６ｃのずれ止め５とせん断補強筋１９ａとを溶接などで固定することにより、せん断補強筋１９ａにパネル６ｂ、６ｃを固定し、パネル６ｂ、６ｃの倒れを阻止する。後壁主鉄筋１８ｂに型枠支持材２１を取り付け、その後側に立設した型枠２２を固定する。
【００５４】
パネル６ｂ、６ｃと型枠２２との間に場所打ちコンクリートを打設し、これにより、下端側切欠１３及び上端側切欠１４（第二空間）に硬化前の場所打ちコンクリートを流し込む。場所打ちコンクリートの硬化により、後壁４の上部が形成されてパネル６ｂ、６ｃと一体化されると共に、上向突起１５と下向突起１７とが連結され、パネル６ａ、６ｂ、６ｃが結合されて前壁３を構成する。その後、図５（ｅ）に示すように、型枠２２を取り外して後側の土砂１を埋め戻す。
【００５５】
なお、本発明のコンクリート壁は、上記の実施の形態に限定されるものではなく本発明の範囲内において適宜変更を加えることができる。例えば、このコンクリート壁を擁壁として設置する代わりに、建物の壁などに用いてもよい。前壁３を後壁４の一面側だけに配置する代わりに、後壁４の両面に前壁３を配置したり、後壁４を柱状にしてその周囲を取り囲むように前壁３を配置したりして、前壁３の後側に後壁４を形成するようにしてもよい。
【００５６】
コンクリート壁の高さが低いときなどには、複数のパネル６を積み重ねて前壁３を構成する代わりに、一枚のパネル６で前壁３を構成してもよい。後壁４の壁厚が薄くなるときは、ずれ止め５の内側に後壁主鉄筋１８を通すようにしてもよい。
【００５７】
パネル６をコンクリートから形成する代わりに、合成樹脂などで形成してもよく、パネル６や後壁４を鉄筋の代わりに、鋼棒や形鋼、線材などの鋼材、合成樹脂、ガラスなどで補強するようにしてもよい。
【００５８】
前壁側突起１０、上向突起１５、前壁上端突起１６及び下向突起１７は、パネル６から前壁主鉄筋８ａ、８ｂ、８ｃの端部を突出させて形成する代わりに、パネル６に、前壁主鉄筋８ａ、８ｂ、８ｃとは別体のものを突設してもよく、これらは、必ずしもフック状にして後壁４に侵入させる必要はない。前壁側突起１０と基礎側突起１１との連結、あるいは上向突起１５と下向突起１７との連結は、場所打ちコンクリートを介して連結する代わりに、溶接やねじによる連結を採用してもよい。
【００５９】
前壁側突起１０や上向突起１５、前壁上端突起１６、下向突起１７などを設けずに、後壁４及びずれ止め５を介して、パネル６同士、あるいは基礎２とパネル６とを結合してもよい。この場合、パネル６の端面間あるいはパネル６の端面と基礎２の上面との間の圧接により、前壁３に作用する圧縮力を伝達させるものとする。
【００６０】
パネル６のコンクリート１２に鉄筋などを挿通する筒を埋設しておき、前壁を所定の位置に載置した後に、埋設された筒に鉄筋などを挿通し、筒内に後打ちコンクリートを充填するようにしてもよい。基礎２は、地盤２０上に直接フーチングを形成してなる直接基礎の代わりに杭基礎などを採用してもよく、地盤が良好なときなどは、地盤２０上に直接コンクリート壁を構築してもよい。
【００６１】
また、後壁４を２回に分けて形成する代わりに、パネル６の数と同じ回数に分けて形成してもよく、後壁４の全体を１回で形成してもよい。後壁４を複数回に分けて形成し、後側の土砂１を埋め戻しながらコンクリート壁を構築することにより、後側の足場を不要にすることができる。型枠２２を固定する型枠支持材２１は、後壁主鉄筋１８に取り付ける代わりに、ずれ止め５などのパネル６の一部に取り付けてもよく、後壁配力鉄筋１９に取り付けてもよい。
【００６２】
せん断補強筋１９ａをパネル６の倒れ留めとする代わりに、型枠支持材２１をパネル６の倒れ留めとしたり、倒れ留め専用の別部材を設けたりしてもよい。コンクリート壁の壁面は、鉛直面に形成しても傾斜させて形成してもよいが、鉛直面に形成することにより、後側の土地の面積を広く造成することができる。
【００６３】
次に、パネル６を形成するためのパネル型について説明する。図６はパネル型の斜視図、図７はＡ矢視図、図８はＢ−Ｂ断面図である。
【００６４】
このパネル型は、硬化前のコンクリートを受ける型本体２５と、型本体２５のコンクリート受け面２５ａを取り囲んでコンクリート１２の端面を形成する側型２６と、側型２６に形成されてパネル６の前壁主鉄筋８ａ、８ｂ、８ｃの端部を挿入する複数の切欠２７と、側型２６に着脱自在に装着されてコンクリートが硬化するまで前壁主鉄筋８ａ、８ｂ、８ｃを支持する複数の補強棒受け（鉄筋受け）２８とを備えている。
【００６５】
型本体２５は、例えば鋼製の略直方体とされ、その上面がコンクリート受け面２５ａとされる。側型２６は、コンクリート受け面２５ａを左右に挟む２つの分割型２６ａと、コンクリート受け面２５ａ及び分割型２６ａの両端を前後に挟む２つの分割型２６ｂとからなる。この側型２６は、分割型２６ａでコンクリート１２の左右（パネル型の左右）の端面を形成し、分割型２６ｂでコンクリート１２の上下（パネル型の前後）の端面を形成するようになっている。
【００６６】
分割型２６ａは、例えば鋼製で外方側が開放された断面略コ字形とされ、その長さは、コンクリート受け面２５ａの前後方向の長さと等しくされる。分割型２６ａの両端部は、分割型２６ｂの内方側の形状に合わせて形成され、分割型２６ａ、２６ｂ間の隙間から硬化前のコンクリートが漏れ出すことを防止する。
【００６７】
分割型２６ｂは、例えば鋼製で外方側が開放された断面略コ字形とされ、その長さは、コンクリート受け面２５ａの左右方向の長さに分割型２６ａの左右方向幅を加えた長さとされる。分割型２６ｂの内方側は、その上部が内向きに突出した形状とされ、この突出部により、パネル６の下端側切欠１３及び上端側切欠１４を形成するようになっている。
【００６８】
分割型２６ａ、２６ｂの下面には、型本体２５の側面に回動自在に支持された脚部２９が突設され、この脚部２９を回動軸３０の周りに回動させることにより、分割型２６ａ、２６ｂがコンクリート受け面２５ａに近接離間するようになっている。
【００６９】
分割型２６ａ、２６ｂの端部付近には、これらを互いに連結するロック機構３１が設けられ、このロック機構３１により、分割型２６ａ、２６ｂがコンクリート受け面２５ａを取り囲んだ状態に保持される。ロック機構３１を解除することにより、脚部２９が回動可能とされ、分割型２６ａ、２６ｂがコンクリート１２の端面から剥離可能になる。
【００７０】
切欠２７は、分割型２６ｂの内方側上方のコーナー部付近に、所定の間隔でスリット状に形成され、パネル６の前壁主鉄筋８ａ、８ｂ、８ｃのフック状の端部をその先端を上方に向けて挿入可能とされている。この切欠２７は、前壁主鉄筋８ａ、８ｂ、８ｃの向きを決めるための位置決め手段としても利用される。
【００７１】
補強棒受け２８は、例えば鋼製の長方形板からなり、その上縁の中央付近を切欠２７と同じ幅で切り欠いてなる受け部３２で、前壁主鉄筋８ａ、８ｂ、８ｃを支持する。この補強棒受け２８を分割型２６ｂに装着することにより、切欠２７のうちの前壁主鉄筋８ａ、８ｂ、８ｃよりも下方が塞がれるようになっている。補強棒受け２８の外面側には、Ｕ形の取っ手３３が取り付けられ、補強棒受け２８が分割型２６ｂの外方側で各切欠２７の位置ごとに装着される。
【００７２】
補強棒受け２８の上下方向で中央付近には、内面側から凹設された位置決め部３４と、側縁を切り欠いてなる固定部３５とが形成され、これらが分割型２６ｂの外面で切欠２７の両側に突設された突起３６、３７に係合する。突起３７には、固定部３５の外面側からハンドル付ナット３８が螺合され、補強棒受け２８が分割型２６ｂに固定される。
【００７３】
次に、このパネル型でパネル６を形成する手順を説明する。まず、図８の左半分に示す状態から脚部２９を内向きに回動させて、分割型２６ａ、２６ｂで型本体２５のコンクリート受け面２５ａを取り囲み、ロック機構３１で分割型２６ａ、２６ｂを固定する。
【００７４】
図７に示すように、補強棒受け２８の取っ手３３を持って、分割型２６ｂの突起３６、３７に位置決め部３４及び固定部３５を係合させ、突起３７に固定部３５の外面側からハンドル付ナット３８を螺合することにより、分割型２６ｂに補強棒受け２８を装着する。ここで、所定の数の補強棒受け２８及びハンドル付ナット３８を用意しておき、全ての切欠２７の位置に補強棒受け２８を装着する。
【００７５】
図８の右半分に示すように、パネル６の前壁主鉄筋８ａ、８ｂ、８ｃを前後方向に向けて、フック状に形成された端部の先端を上方に向ける。この端部を上方から切欠２７に挿入して補強棒受け２８の受け部３２に載置し、前後の分割型２６ｂに前壁主鉄筋８ａ、８ｂ、８ｃを掛け渡す。ここで、所定の本数の前壁主鉄筋８ａ、８ｂ、８ｃを用意しておき、その端部を全ての切欠２７に挿入して分割型２６ｂに掛け渡す。
【００７６】
パネル６の所定本数の前壁配力鉄筋９を左右方向に向けて、所定の間隔で前壁主鉄筋８ａ、８ｂ、８ｃに載置し、この前壁主鉄筋８ａ、８ｂ、８ｃに溶接などにより固定する。さらに、前壁配力鉄筋９にずれ止め５の先端部を係止させて溶接などにより固定する。
【００７７】
切欠２７のうち、前壁主鉄筋８ａ、８ｂ、８ｃよりも上方を例えばテープや当て板で塞いで切欠２７からのコンクリートの漏出を阻止し、コンクリート受け面２５ａに所定量のコンクリートを打設する。これにより、パネル６の上下端面から前壁主鉄筋８ａ、８ｂ、８ｃの端部が突出した状態になり、その突出する部分が前壁側突起１０、上向突起１５、前壁上端突起１６又は下向突起１７となる。なお、前壁主鉄筋８ａ、８ｂ、８ｃよりも下方は補強棒受け２８で塞がれている。
【００７８】
次いで、コンクリートが硬化した後に補強棒受け２８を取り外して、前壁主鉄筋８ａ、８ｂ、８ｃの下面と切欠２７の底面との間に隙間３９を形成し、この隙間３９により、脚部２９の回動に伴う分割型２６ｂの上下方向の移動を吸収する。なお、すでにコンクリートが硬化しているので、補強棒受け２８で支持しなくても前壁主鉄筋８ａ、８ｂ、８ｃが下降することはない。
【００７９】
ロック機構３１を解除し、脚部２９を回動させて分割型２６ａ、２６ｂをコンクリート１２の端面から剥離させることにより、パネル６の形成が完了する。
【００８０】
なお、パネル型は、上記の形態に限定されるものではなく、適宜変更を加えることができる。例えば、型本体２５は、そのコンクリート受け面２５ａが長方形になる直方体に限らず、形成すべきパネルの形状に応じて、適宜その形状を設定してもよい。この場合、側型２６を構成する分割型２６ａ、２６ｂの数を適宜変更すればよい。なお、このパネル型で形成するパネルの幅や高さは、コンクリート壁を構築する場所の事前測量などに基づいて適宜設定すればよい。
【００８１】
補強棒受け２８は、切欠２７の一部を塞ぐように装着する代わりに、分割型２６ｂの外面と間隔をあけて装着して、別部材でコンクリートの漏出を阻止するようにしてもよい。分割型２６ｂを開くときに、この分割型２６ｂが下方にのみ移動する場合には、補強棒受け２８を設けずに、切欠２７の底面で直接に前壁主鉄筋８ａ、８ｂ、８ｃを支持するようにしてもよい。
【００８２】
【発明の効果】
以上の説明から明らかな通り、本発明によると、あらかじめ形成されたパネルで前壁を構成し、この前壁と場所打ちコンクリートを打設して形成される後壁とを一体化してコンクリート壁を構成し、前壁と後壁との合成断面で外力に抵抗させるので、前壁の壁厚を薄くすることができる。
【００８３】
その結果、その壁高が高いときや壁長が長いときであっても、前壁を構成するパネルを上下方向及び左右方向に大きくすることにより、パネルの重量を重くすることなく、その数を少なくすることができる。これにより、パネルの吊り上げに使用するクレーンを小さくして施工コストを安くすると共に、施工に要する時間を短くすることができる。
【００８４】
前側の型枠および足場を不要にすることができるので、型枠および足場に加えて作業者や重機を隣接地に侵入させることなく敷地内で施工することができる。そのため、敷地の境界線や隣接する既設の壁面に接近させてコンクリート壁を構築することにより、敷地の有効利用が図れると共に、隣接する河川などの自然に手を加えることなく施工することができる。また、型枠、足場および鉄筋の組立を少なくできる分、材料費を安く、工期を短く、かつ専門の作業員の人数を少なくすることができる。
【００８５】
前壁を構成するパネルを形成するためのパネル型として、その側型に切欠が形成されたものを用いるので、その切欠にパネルの端面から突出する鉄筋を挿入することにより、鉄筋が側型の組立の邪魔にならないようにして、鉄筋が突出するパネルを形成することができる。パネル型には、種々の模様を形成しておくことができ、これにより壁面の美観性を高めることができる。
【図面の簡単な説明】
【図１】  本発明のコンクリート壁を前側から見た斜視図
【図２】  コンクリート壁を後側から見た斜視図
【図３】  最下層（最上層）のパネルの斜視図
【図４】  中間層のパネルの斜視図
【図５】  コンクリート壁の構築方法を説明する図
【図６】  パネル型の斜視図
【図７】  Ａ矢視図
【図８】  Ｂ−Ｂ断面図
【図９】  従来の擁壁のブロックの斜視図
【図１０】  ブロックを積み上げたときの後面図
【符号の説明】
２      基礎
３      前壁
４      後壁
６      パネル
８      前壁主鉄筋
９      前壁配力鉄筋
１０    前壁側突起
１１    基礎側突起
１３    下端側切欠
１４    上端側切欠
１５    上向突起
１７    下向突起
１８    後壁主鉄筋
１９    後壁配力鉄筋
２１    型枠支持材
２２    型枠
２３    挿通孔
２５    型本体
２５ａ  コンクリート受け面
２６    側型
２６ａ、２６ｂ  分割型
２７    切欠
２８    補強棒受け
【図１】
0004676683.tif 000002
【図２】
0004676683.tif 000003
【図３】
0004676683.tif 000004
【図４】
0004676683.tif 000005
【図５】
0004676683.tif 000006
【図６】
0004676683.tif 000007
【図７】
0004676683.tif 000008
【図８】
0004676683.tif 000009
【図９】
0004676683.tif 000010
【図１０】
0004676683.tif 000011